【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】
少なくとも１つの画像読取ユニット、読取画像処理ユニット、プリンタコントロールユニット、画像出力ユニット及び出力画像処理ユニットから構成される画像形成装置において、
前記画像読取ユニットが前記読取画像処理ユニットに専用バスによって接続され、前記出力画像処理ユニットが前記画像出力ユニットに専用バスによって接続され、前記読取画像処理ユニット、前記プリンタコントロールユニット、および前記出力画像処理ユニットがパケットデータをルーティングする機能をもったパケットスイッチ網に夫々接続されることを特徴とする画像形成装置。
【請求項２】
少なくとも１つの画像読取ユニット、読取画像処理ユニット、プリンタコントロールユニット、画像出力ユニット及び出力画像処理ユニットから構成される画像形成装置において、
前記画像読取ユニット、前記読取画像処理ユニット、前記プリンタコントロールユニット、前記出力画像処理ユニットおよび前記画像出力ユニットが、パケットデータをルーティングする機能をもったパケットスイッチ網に接続されることを特徴とする画像形成装置。
【請求項３】
複数の画像出力ユニットに対して、前記出力画像処理ユニットを共通で使用することを特徴とする請求項２記載の画像形成装置。
【請求項４】
複数の画像読取ユニットに対して、前記読取画像処理ユニットを共通で使用することを特徴とする請求項２記載の画像形成装置。
【請求項５】
少なくとも１つの画像読取ユニット、読取画像処理ユニット、プリンタコントロールユニット、画像出力ユニット及び出力画像処理ユニットから構成される画像形成装置において、
前記画像読取ユニット、前記読取画像処理ユニット、前記プリンタコントロールユニット、前記出力画像処理ユニットおよび前記画像出力ユニットに加えて、データの圧縮・伸長処理を行う圧縮・伸長処理ユニットが、パケットデータをルーティングする機能をもったパケットスイッチ網に夫々接続されることを特徴とする画像形成装置。
【請求項６】
少なくとも１つの画像読取ユニット、読取画像処理ユニット、プリンタコントロールユニット、画像出力ユニット及び出力画像処理ユニットから構成される画像形成装置において、
前記画像読取ユニット、前記読取画像処理ユニット、前記プリンタコントロールユニット、前記出力画像処理ユニットおよび前記画像出力ユニットに加えて、データを保存するストレージユニットが、パケットデータをルーティングする機能をもったパケットスイッチ網に接続されることを特徴とする画像形成装置。
【請求項７】
少なくとも１つの画像読取ユニット、読取画像処理ユニット、プリンタコントロールユニット、画像出力ユニット及び出力画像処理ユニットから構成される画像形成装置において、
前記画像読取ユニット、前記読取画像処理ユニット、前記プリンタコントロールユニット、前記出力画像処理ユニットおよび前記画像出力ユニットに加えて、ＦＡＸの送受信機能を備えたＦＡＸユニットが、パケットデータをルーティングする機能をもったパケットスイッチ網に接続されることを特徴とする画像形成装置。
【請求項８】
前記画像読取ユニットから前記パケットスイッチ網に送られるパケット内の画像データが、前記画像読取ユニットで読み取ったままのデータであるか、又は、可逆圧縮データであることを特徴とする請求項５乃至７のいずれか１項に記載の画像形成装置。
【請求項９】
前記画像読取ユニットから前記パケットスイッチ網に送られるパケット内の画像データが、前記画像読取ユニットで読み取ったままのデータであるか、又は、可逆圧縮データであり、前記ストレージユニットへ保存するデータが、前記画像読取ユニットで読み取ったままのデータであるか、又は可逆圧縮データであることを特徴とする請求項６記載の画像形成装置。
【手続補正２】
【補正対象書類名】明細書
【補正対象項目名】０００４
【補正方法】変更
【補正の内容】
【０００４】
【課題を解決するための手段】
前記の課題を解決するために、請求項１記載の発明では、少なくとも１つの画像読取ユニット、読取画像処理ユニット、プリンタコントロールユニット、画像出力ユニット及び出力画像処理ユニットから構成される画像形成装置において、前記画像読取ユニットが前記読取画像処理ユニットに専用バスによって接続され、前記出力画像処理ユニットが前記画像出力ユニットに専用バスによって接続され、前記読取画像処理ユニット、前記プリンタコントロールユニット、および前記出力画像処理ユニットがパケットデータをルーティングする機能をもったパケットスイッチ網に夫々接続されることを特徴とする。
請求項２記載の発明では、少なくとも１つの、画像読取ユニット、読取画像処理ユニット、プリンタコントロールユニット、画像出力ユニット、出力画像処理ユニットから構成される画像形成装置において、前記画像読取ユニット、前記読取画像処理ユニット、前記プリンタコントロールユニット、前記出力画像処理ユニットおよび前記画像出力ユニットが、パケットデータをルーティングする機能をもったパケットスイッチ網に接続される画像形成装置を最も主要な特徴とする。  請求項３記載の発明では、複数の画像出力ユニットに対して、前記出力画像処理ユニットを共通で使用する請求項２記載の画像形成装置を主要な特徴とする。
請求項４記載の発明では、複数の画像読取ユニットに対して、前記読取画像処理ユニットを共通で使用する請求項２記載の画像形成装置を主要な特徴とする。
請求項５記載の発明では、少なくとも１つの、画像読取ユニット、読取画像処理ユニット、プリンタコントロールユニット、画像出力ユニット、出力画像処理ユニットから構成される画像形成装置において、前記画像読取ユニット、前記読取画像処理ユニット、前記プリンタコントロールユニット、前記出力画像処理ユニットおよび前記画像出力ユニットに加えて、データの圧縮・伸長処理を行う圧縮・伸長処理ユニットが、パケットデータをルーティングする機能をもったパケットスイッチ網に接続される画像形成装置を最も主要な特徴とする。
【０００５】
請求項６記載の発明では、少なくとも１つの、画像読取ユニット、読取画像処理ユニット、プリンタコントロールユニット、画像出力ユニット、出力画像処理ユニットから構成される画像形成装置において、前記画像読取ユニット、前記読取画像処理ユニット、前記プリンタコントロールユニット、前記出力画像処理ユニットおよび前記画像出力ユニットに加えて、データを保存するストレージユニットが、パケットデータをルーティングする機能をもったパケットスイッチ網に接続される画像形成装置を最も主要な特徴とする。
請求項７記載の発明では、少なくとも１つの、画像読取ユニット、読取画像処理ユニット、プリンタコントロールユニット、画像出力ユニット、出力画像処理ユニットから構成される画像形成装置において、前記画像読取ユニット、前記読取画像処理ユニット、前記プリンタコントロールユニット、前記出力画像処理ユニットおよび前記画像出力ユニットに加えて、ＦＡＸの送受信機能を備えたＦＡＸユニットが、パケットデータをルーティングする機能をもったパケットスイッチ網に接続される画像形成装置を最も主要な特徴とする。
請求項８記載の発明では、前記画像読取ユニットから前記パケットスイッチ網に送られるパケット内の画像データが、前記画像読取ユニットで読み取ったままのデータであるか、または、可逆圧縮データである請求項５〜７のいずれか１項記載の画像形成装置を主要な特徴とする。
請求項９記載の発明では、前記画像読取ユニットから前記パケットスイッチ網に送られるパケット内の画像データが、前記画像読取ユニットで読み取ったままのデータであるかまたは可逆圧縮データであり、そして前記ストレージユニットへ保存するデータが、前記画像読取ユニットで読み取ったままのデータであるかまたは可逆圧縮データである請求項６記載の画像形成装置を主要な特徴とする。
【手続補正３】
【補正対象書類名】明細書
【補正対象項目名】００１６
【補正方法】変更
【補正の内容】
【００１６】
【発明の効果】
以上説明したように、請求項１によれば、高速のデータ転送を実現でき、システムの生産性を向上することができ、システムの拡張性を飛躍的に向上させることが可能な画像形成装置を提供できる。
請求項２によれば、請求項１の作用効果に加えて、読取画像処理前のデータを取り扱うことができ、従来にはなかった機能を実現し得る画像形成装置を提供できる。
請求項３によれば、請求項２の作用効果に加えて、読取画像処理ユニットを独立化することで、機能の変更やアップグレードなどに柔軟に対応できる。また、同一のプラットフォーム上で異なるスペックの機種を開発でき、開発効率も向上する画像形成装置を提供できる。
請求項４によれば、請求項２の作用効果に加えて、出力画像処理ユニットを独立化することで、機能の変更やアップグレードなどに柔軟に対応できる。また、コストを抑えたシステムを構築できる画像形成装置を提供できる。
請求項５によれば、請求項１の作用効果に加えて、読取画像処理前のデータを取り扱うことができ、従来にはなかった機能を実現し得る画像形成装置を提供できる。
請求項６によれば、請求項１の作用効果に加えて、読取画像処理前のデータを取り扱うことができ、従来にはなかった機能を実現し得る画像形成装置を提供できる。
請求項７によれば、請求項１の作用効果に加えて、読取画像処理前のデータを取り扱うことができ、従来にはなかった機能を実現し得る画像形成装置を提供できる。
請求項８によれば、上記作用効果に加えて、異なる画像処理や圧縮処理で使用するデータが、おのおの本来の情報を有している元データを使用することが可能となるため、各ユニットが最適のデータ処理を行い得る画像形成装置を提供できる。
請求項９によれば、上記効果に加えて、異なる画像処理や圧縮処理で使用するデータが、おのおの本来の情報を有している元データを再利用することができるため、各ユニットが最適のデータ処理を行い得る画像形成装置を提供できる。